(57)【要約】【課題】持ち運びが可能で、かつ、良好な操作性を備えた操作パネルを有するオーディオミキサを提供することを目的とする。【解決手段】本体ユニット１２に操作パネル１１を着脱自在に設ける。操作パネル１１は機械式の操作子である回転操作子，スライダ操作子を有する。各操作子を用いて音響機器の音量や音域の制御が可能になる。各操作子の操作による操作信号は、本体ユニット１２に対して無線通信される。操作パネル１１を本体ユニット１２から取り外して、本体ユニット１２のリモートコントローラとして機能する。【選択図】図２
2016225826.tif 000002
【特許請求の範囲】
【請求項１】
音響機器とケーブル接続するためのケーブルコネクタを有する本体ユニットと、
前記音響機器の音響信号を調整するための機械式の操作子を有し、前記本体ユニットに着脱可能な操作パネルであって、前記操作子の操作による操作信号を前記本体ユニットに対して無線通信可能な操作パネルとを備えているオーディオミキサ。
【請求項２】
前記本体ユニットに設けられ、前記操作パネルを収納する凹型の収納部と、前記収納部に収納された前記操作パネルの係止と係止の解除を行う着脱機構とを備えている請求項１記載のオーディオミキサ。
【請求項３】
前記着脱機構は、前記収納部の内側面に形成された係止穴と、前記操作パネルに設けられ、前記操作パネルが収納されたときに前記係止穴と係止されるロックピンと、前記ロックピンを前記係止穴に向けて突出させる付勢部材と、前記付勢部材の付勢に抗して前記ロックピンと前記係止穴との係止を解除するリリース部材とを有する請求項２記載のオーディオミキサ。
【請求項４】
前記ロックピンは、前記係止穴に対応して複数個設けられており、
複数の前記ロックピンは、前記係止穴と係止させるロック位置と、係止を解除するリリース位置との間で独立して移動可能である請求項３記載のオーディオミキサ。
【請求項５】
前記リリース部材は、複数の前記ロックピンの係止を解除する場合には、少なくとも２つ以上の前記ロックピンを連動させることが可能である請求項４記載のオーディオミキサ。
【請求項６】
前記ロックピンは、前記操作パネルの側面から突出するロック位置と、前記側面内に没するリリース位置との間でスライドする請求項４又は５記載のオーディオミキサ。
【請求項７】
前記ロックピンは、前記ロック位置に付勢されており、
前記ロックピンには、前記操作パネルを前記本体ユニットの前記収納部に収納する際に、前記収納部と当接した前記ロックピンを前記リリース位置に向けて案内するガイド斜面が形成されている請求項６記載のオーディオミキサ。
【請求項８】
前記ロックピンは、前記本体ユニットとの電気的な接続を行うコネクタ機能を有している請求項３から７いずれか１項記載のオーディオミキサ。
【発明の詳細な説明】
【技術分野】
【０００１】
本発明は、オーディオミキサに関するものである。
【背景技術】
【０００２】
コンサートホールやイベントホールにおいて、観客席での場所毎の音響の音量、音域などを調整するためにオーディオミキサが用いられる。オーディオミキサの操作パネルには、マイク等の音響機器の入力信号の送出レベルを調整する入力フェーダ、出力信号の音量を調整する出力フェーダ、周波数特性を調整するイコライザなどの複数の操作子が設けられている。操作子は、回転操作により操作信号を入力する回転操作子と、スライド操作により操作信号を入力するスライダ操作子などがある。これらの操作子は、音響機器毎にチャンネルとして例えば縦一列に並べて１グループにまとめられ、１グループ毎にチャンネルストリップが構成される。従って、用いる音響機器が増えると、チャンネル数が増加し、操作子の数も増加する。これらチャンネルストリップの各操作子を操作することにより、音量制御や各種エフェクトの設定等を含むミキシング操作が可能になる。
【０００３】
オーディオミキサを使用する場合には、例えばミキサ操作者が席を移動しながら、場所毎の音響の音量、音域等の出力状態を確認しながら音響機器の出力状態の調整を行う。音響機器である例えばマイクのケーブル等の長さに制限があり、オーディオミキサの設置位置は限定される。そのため、ミキサ操作者は、席を移動して出力状態を確認後、調整のためにミキサの設置位置に戻り、再び新たな席に移動するという作業を繰り返すことになる。
【０００４】
このような出力状態の確認場所とオーディオミキサの設置位置との往復を避けて、ミキサ操作者が出力状態の確認場所においてミキシング操作ができるように、例えば特許文献１，２には、タッチパネルディスプレイ付きのタブレット端末が、リモートコントローラとして機能するオーディオミキサが開示されている。
【０００５】
特許文献１，２に記載のオーディオミキサは、本体ユニットと本体ユニットに着脱可能なタブレット端末とで構成されている。本体ユニットには、タブレット端末を着脱可能にするドックと、タブレット端末と通信する無線通信インタフェースとが設けられている。
【０００６】
タブレット端末には、タッチパネルディスプレイにミキシング操作を行うためのＧＵＩ（Graphical User Interface）による操作画面が表示される。ミキシング操作は、操作画面に表示される操作キーをタッチ操作することによって行われる。このようなタブレット端末を本体ユニットから取り外して、オーディオミキサのリモートコントローラとして持ち運ぶことで、ミキサ操作者は音響機器の出力状態を確認する所望の位置においてミキシング操作が可能になる。
【先行技術文献】
【特許文献】
【０００７】
【特許文献１】ＵＳ２０１３／０２０１３９８公開公報
【特許文献２】ＵＳ８８９１７９１特許公報
【発明の概要】
【発明が解決しようとする課題】
【０００８】
しかしながら、特許文献１，２に記載のＧＵＩによる操作画面によってミキシング操作が行われるオーディオミキサは、操作性が良くないという問題があった。
【０００９】
というのも、ミキシング操作は、ミキサ操作者の繊細な感覚に基づいて行われるため、オーディオミキサには、ミキサ操作者の繊細な感覚に即応可能な良好な操作感が求められる。ところが、特許文献１，２に記載されているＧＵＩによる操作画面は、タッチパネルの応答性や、タッチ操作の位置や操作量などの検知精度といった性能が、機械的な操作子と比較して劣る。また、平面で構成される操作画面を指でタッチ操作するだけなので、操作を行っても機械的な操作子のような抵抗感や感触が得られないため、操作量の感覚がミキサ操作者に伝わりにくい。
【００１０】
タッチパネルの応答性、タッチ操作の検知精度、操作量の感覚の伝わりにくさといった性能は、ミキサ操作者が感じる操作感に直接影響する性能である。特に、ミキシング操作は、ミキサ操作者の主観的な感覚に依存する要素が強いため、ミキサ操作者が求める操作性を確保することは、オーディオミキサにおいて非常に重要な問題となる。
【００１１】
本発明では、持ち運びが可能で、かつ、良好な操作性を備えた操作パネルを有するオーディオミキサを提供することを目的とする。
【課題を解決するための手段】
【００１２】
上記目的を達成するために、本発明のオーディオミキサは、本体ユニットと操作パネルを備える。本体ユニットは、音響機器とケーブル接続するためのケーブルコネクタを有する。操作パネルは、音響機器の音響信号を調整するための機械式の操作子を有し、本体ユニットに着脱可能に取り付けられる。操作パネルは、操作子の操作による操作信号を本体ユニットに対して無線通信可能である。
【００１３】
前記本体ユニットに設けられ、前記操作パネルを収納する凹型の収納部と、前記収納部に収納された前記操作パネルの係止と係止の解除を行う着脱機構とを備えていることが好ましい。
【００１４】
着脱機構は、収納部の内側面に形成された係止穴と、操作パネルに設けられ、操作パネルが収納されたときに係止穴と係止されるロックピンと、ロックピンを係止穴に向けて突出させる付勢部材と、付勢部材の付勢に抗してロックピンと係止穴との係止を解除するリリース部材とを有することが好ましい。
【００１５】
ロックピンは、係止穴に対応して複数個設けられており、複数のロックピンは、係止穴と係止させるロック位置と、係止を解除するリリース位置との間で独立して移動可能であることが好ましい。
【００１６】
リリース部材は、複数のロックピンの係止を解除する場合には、少なくとも２つ以上のロックピンを連動させることが可能であることが好ましい。
【００１７】
ロックピンは、操作パネルの側面から突出するロック位置と、側面内に没するリリース位置との間でスライド移動することが好ましい。
【００１８】
ロックピンは、ロック位置に付勢されており、ロックピンには、操作パネルを本体ユニットの収納部に収納する際に、収納部と当接したロックピンをリリース位置に向けて案内するガイド斜面が形成されていることが好ましい。
【００１９】
ロックピンは、本体ユニットとの電気的な接続を行うコネクタ機能を有していることが好ましい。
【発明の効果】
【００２０】
本発明によれば、機械式の操作子を有する操作パネルを、本体ユニットに対して着脱可能で、かつ、本体ユニットに操作信号を無線通信可能としたから、持ち運びが可能で、かつ、良好な操作性を備えたオーディオミキサを提供することができる。
【図面の簡単な説明】
【００２１】
【図１】オーディオミキサの外観を示す斜視図である。
【図２】オーディオミキサを操作パネルと本体ユニットに分離した状態を示す斜視図である。
【図３】オーディオミキサの機能ブロック図である。
【図４】リリース機構を分解して示す斜視図である。
【図５】図２におけるＶ−Ｖ線に沿う断面図である。
【図６】パネル本体を取り外した状態の操作パネルを示す斜視図である。
【図７】リリース機構がロック位置の時の斜視図である。
【図８】リリース機構がリリース位置の時の斜視図である。
【図９】第２実施形態のオーディオミキサを操作パネルと本体ユニットに分離した状態を示す斜視図である。
【図１０】図９におけるＸ−Ｘ線に沿う断面図である。
【図１１】第３実施形態のロックピン及び接触ピンを示す側面図である。
【発明を実施するための形態】
【００２２】
［第１実施形態］
図１及び図２に示すように、オーディオミキサ１０は、外形が例えば薄型の箱状であり、操作パネル１１と本体ユニット１２とから構成される。操作パネル１１は、本体ユニット１２に着脱可能であり、操作パネル１１を本体ユニット１２から取り外してオーディオミキサ１０のリモートコントローラとして使用することが可能である。
【００２３】
操作パネル１１の上面には、機械式の多数の回転操作子１３及びスライダ操作子１５が配列されている。例えば、操作パネル１１には、マイクなどの１つの音響機器毎に割り当てられるチャンネルに対応して、複数のチャンネルストリップ１６が設けられている。チャンネルストリップ１６は、縦方向（Ｙ方向）に延びており、こうしたチャンネルストリップ１６が、例えば、横方向（Ｘ方向）に１８個並べて設けられている。回転操作子１３やスライダ操作子１５は、音響機器の音響信号を調整するための操作子である。
【００２４】
各チャンネルストリップ１６には、例えば１０個の回転操作子１３及び１個のスライダ操作子１５が配置されている。この他に、各チャンネルストリップ１６には、レベルメータ、数値表示器、インジケータ等が配置されている。これら各操作子１３，１５やスイッチ類等の集合を以下操作子群１７と称する。
【００２５】
本体ユニット１２の上面にも、例えば１０個の回転操作子１４やインジケータが設けられている。回転操作子１４は、例えばモニタ用のスピーカ、ヘッドホンなどの音量を調節するために用いられる。
【００２６】
操作パネル１１は、パネル本体１９と枠体２０とで構成される。パネル本体１９の上面には、操作子群１７が設けられる。枠体２０（図６も参照）は薄い箱型に形成されている。枠体２０の上面には、第１開口部２０ａ（図６参照）、第２開口部２０ｂ（図６参照）が形成されている。第１開口部２０ａは、パネル本体１９が取り付けられる矩形の開口であり、枠体２０の上面の外周縁部を残すように中央に大きく開口している。操作子群１７が設けられるパネル本体１９の上面は、第１開口部２０ａから外部に露呈される。
【００２７】
第２開口部２０ｂは、操作パネル１１を取り外すための後述するリリースレバー５１の上部を露呈するための開口であり、第１開口部２０ａの両側方で上面の外周縁部に、Ｙ方向に長く開口している。操作パネル１１の上面の両端部において、各リリースレバー５１の横には、指掛け用の把手５０が設けられている。把手５０は、例えばＹ方向に延びるパイプで構成される。把手５０の両端部は下方に向けて折り曲げられており、この折り曲げ部が操作パネル１１に固定されている。折り曲げ部によって把手５０と操作パネル１１の上面との間に隙間が形成されており、この隙間を利用して把手５０に指を掛けられるようになっている。
【００２８】
図２に示すように、枠体２０は、枠体本体２０ｃと取付部２０ｄとで構成されている。取付部２０ｄは、枠体本体２０ｃの下部に設けられている。取付部２０ｄは、枠体本体２０ｃと同様に平面形状が矩形状であり、平面サイズは枠体本体２０ｃよりも一回り小さい。そのため、枠体２０の側面において、取付部２０ｄの側面が枠体本体２０ｃの側面よりも内側に入り込み、段差が形成されている。
【００２９】
本体ユニット１２の上面には、矩形凹型の収納部２２が形成されている。この収納部２２に、操作パネル１１の取付部２０ｄが収納されて、本体ユニット１２に操作パネル１１が取り付けられる。取付部２０ｄの下面と収納部２２の上面とには、両者が取り付けられたときに接続されるコネクタ２３ａ、コネクタ２３ｂが設けられている。これらコネクタ２３ａ，２３ｂを介して操作パネル１１と本体ユニット１２とが電気的に接続される。
【００３０】
図３に示すように、操作パネル１１は、パネル本体１９や枠体２０の内部に、操作量検出回路３０、第１無線通信部３１、制御回路３２、バッテリ３３、充電回路３４及びコネクタ２３ａを有する。制御回路３２は、操作パネル１１の各部を制御する。操作量検出回路３０は、操作子群１７が操作された場合に操作子群１７の操作量を検出して、操作量に応じた操作信号を制御回路３２に入力する。制御回路３２は、操作量検出回路３０から入力された操作信号を本体ユニット１２に出力する。
【００３１】
バッテリ３３は、操作パネル１１が本体ユニット１２から取り外された状態において、操作パネル１１の各部に対して駆動電力を供給する。バッテリ３３は二次電池であり、充電回路３４によって充電される。充電回路３４は、操作パネル１１が本体ユニット１２に取り付けられている状態において、本体ユニット１２から電力の供給を受けて、バッテリ３３を充電する。
【００３２】
コネクタ２３ａは、操作パネル１１が本体ユニット１２に取り付けられている状態において、本体ユニット１２のコネクタ２３ｂを通じて、本体ユニット１２からの電力供給を受けるとともに、制御回路３２からの操作信号を本体ユニット１２に対して出力する。第１無線通信部３１は、操作パネル１１が本体ユニット１２から取り外された状態において、制御回路３２が出力する操作信号を、本体ユニット１２に対して無線送信する。
【００３３】
本体ユニット１２は、ＣＰＵ（Central Processing Unit）４１、ＲＯＭ（Read Only Memory）４２、ＲＡＭ（Random Access Memory）４３、信号処理回路（ＤＳＰ：Digital Signal Processor）４４、音響信号入出力部４５、第２無線通信部４７、及びバス４８を有する。
【００３４】
ＣＰＵ４１は、ＲＯＭ４２又はＲＡＭ４３に記憶された各種制御プログラムを実行し、オーディオミキサ１０の全体的な動作を制御する。また、ＣＰＵ４１は、操作パネル１１から受信した操作信号を、信号処理回路４４に入力する。なお、本体ユニット１２の電気構成をＣＰＵ４１とプログラムによるソフトウェアによって実現しているが、専用電気回路などのハードウェアによって実現してもよい。
【００３５】
本体ユニット１２の背面には、ケーブルコネクタ４９が設けられている。ケーブルコネクタ４９は、マイクなどの音響機器３６ａ，３６ｂ〜３６ｎを、ケーブル３７ａ，３７ｂ〜３７ｎを介して接続（ケーブル接続）するためのコネクタである。ケーブルコネクタ４９は、チャンネルの数に応じて複数個設けられる。
【００３６】
音響信号入出力部４５は、音響機器３６ａ，３６ｂ〜３６ｎからの音響信号が入力されるとともに、音響信号に対して信号処理が施された後のミキシング出力を図示しないコネクタを介して外部のスピーカに出力する。
【００３７】
信号処理回路４４は、音響信号入出力部４５から入力される音響信号に対して、ＣＰＵ４１から入力される操作信号に基づき信号処理（ミキシング処理）を実行する。そして、信号処理が施された後の音響信号をミキシング出力として音響信号入出力部４５に出力する。これにより、ユーザであるミキサ操作者は、操作パネル１１の回転操作子１３、スライダ操作子１５を用いた各種操作により、音量制御、音域制御などのミキシング操作を行うことができる。
【００３８】
第２無線通信部４７は、操作パネル１１が本体ユニット１２から取り外されている場合に作動して、操作パネル１１の第１無線通信部３１からの操作信号を受信して、ＣＰＵ４１に入力する。ＣＰＵ４１は、操作パネル１１が本体ユニット１２から取り外されたと判定した場合に、第２無線通信部４７を起動させる。
【００３９】
ＣＰＵ４１は、コネクタ２３ａ，２３ｂの接続状態に基づいて操作パネル１１が取り付けられているか否かを判定する。コネクタ２３ａ、２３ｂの接続状態の検出は、例えば、コネクタ２３ａとコネクタ２３ｂとの導通の有無によって検出される。もちろん、コネクタ２３ａ、２３ｂの接続状態をスイッチやセンサによって検出してもよい。
【００４０】
ＣＰＵ４１は、コネクタ２３ａ、２３ｂ間の導通が有る場合には、操作パネル１１が本体ユニット１２に取り付けられている状態と判定し、コネクタ２３ａによる有線接続により操作パネル１１からの操作信号を受信する。
【００４１】
また、ＣＰＵ４１は、コネクタ２３ａ、２３ｂ間の導通が無くなった場合には、操作パネル１１が本体ユニット１２から取り外されたと判定して、第２無線通信部４７を起動させる。一方、操作パネル１１の制御回路３２も、本体ユニット１２のＣＰＵ４１と同様に、コネクタ２３ａ、２３ｂの導通の有無により接続状態を監視している。制御回路３２は、コネクタ２３ａ、２３ｂ間の導通がある場合には、コネクタ２３ａ、２３ｂを通じて操作信号を出力し、コネクタ２３ａ、２３ｂ間の導通が無い場合には、第１無線通信部３１を起動させる。
【００４２】
第１無線通信部３１及び第２無線通信部４７は、例えば、無線ＬＡＮ（Local Area Network）の標準的な規格であるＩＥＥＥ８０２．１１規格に準拠した通信モジュールである。第１無線通信部３１及び第２無線通信部４７は、起動すると、ＩＥＥＥ８０２，１１規格で規定された通信プロトコルによって通信リンクを確立して、無線通信を開始する。これにより、操作パネル１１からの操作信号を本体ユニット１２に対して無線通信可能になる。
【００４３】
また、充電回路３４は、コネクタ２３ａ、２３ｂ間の導通がある場合には、本体ユニット１２からの電力供給を受けることが可能になる。充電回路３４は、バッテリ３３が所定の電圧以下に低下した時に充電を開始し、充電が完了した時に充電を停止する。
【００４４】
本例において、第１無線通信部３１及び第２無線通信部４７として、ＩＥＥＥ８０２．１１規格に準拠した無線通信モジュールを例に説明したが、他の通信規格に準拠した無線通信モジュールでもよい。
【００４５】
操作パネル１１は、機械的な操作子１３，１５を有するため、タブレット端末などと比較すると、重量がある。そのため、オーディオミキサ１０には、重量のある操作パネル１１に適した着脱機構２５が設けられている。着脱機構２５は、本体ユニット１２の収納部２２に収納された操作パネル１１の係止と係止の解除を行う。操作パネル１１は、係止により本体ユニット１２に固定され、係止の解除により本体ユニット１２からの取り外しが可能になる。
【００４６】
図４に示すように、着脱機構２５は、本体ユニット１２に設けられた係止穴５５（図２も参照）と、係止穴５５に係止されるロックピン５２（図２も参照）と、ロックピン５２の係止を解除するリリース機構６６とを有している。
【００４７】
図２にも示すように、係止穴５５は、本体ユニット１２の収納部２２の内側面２２ａに形成されている。より具体的には、内側面２２ａにおいて、Ｙ方向と平行な対向する２つの面に、それぞれ２つずつ形成されている。本例において、係止穴５５は、矩形状である。もちろん、係止穴５５の形状は矩形でなくてもよく、例えば円形など、ロックピン５２を係止可能な形状であればどのような形状でもよい。
【００４８】
操作パネル１１の取付部２０ｄにおいて、操作パネル１１が収納部２２に収納されたときに、係止穴５５と対向する位置には、ロックピン５２が設けられている。ロックピン５２は、各係止穴５５に対応する位置にそれぞれ設けられており、ロックピン５２の数及び配置間隔は係止穴５５と対応している。係止穴５５は、対向する２つの内側面２２ａにそれぞれ２つずつ設けられているので、各内側面２２ａと対向する、取付部２０ｄの２つの外側面において、ロックピン５２は２つずつ設けられている。
【００４９】
各ロックピン５２は、取付部２０ｄに固定される収納筒５３にＸ方向にスライド自在に収容される。また、各ロックピン５２は、収納筒５３から先端部の一部がＸ方向に突出するようにコイルバネ５６（付勢部材）によって付勢されている。コイルバネ５６の付勢によってロックピン５２が係止穴５５に進入してロックピン５２が係止穴５５に係止される。係止穴５５は、ロックピン５２よりも大きい縦横サイズで形成されており、ロックピン５２が係止穴５５に入り易くなっている。
【００５０】
ロックピン５２は、円柱体をベースに、円柱体の一部を軸方向に切削して、軸方向と直交する断面をＤ型に形成したものである。ロックピン５２は例えば剛性の高いステンレス製である。ロックピン５２が収納される収納筒５３の断面も、ロックピン５２の断面形状に合わせてＤ型に形成されている。ロックピン５２の外周面のうち切削された平坦面と、収納筒５３の平坦な内側面は、それぞれ回動規制面５２ａ、５３ａとして機能する。ロックピン５２は収納筒５３にスライド自在に保持されるが、回動規制面５２ａ、５３ａにより収納筒５３に対する回転は規制される。
【００５１】
また、図５にも示すように、ロックピン５２の回動規制面５２ａが係止穴５５の上辺５５ａに係止する。この係止により、操作パネル１１が本体ユニット１２の収納部２２に収納された状態で固定される。
【００５２】
バネ押さえ６３は、取付部２０ｄの内部に固定される。バネ押さえ６３は、コイルバネ５６の一端と当接してコイルバネ５６を保持する。
【００５３】
図４及び図５において、リリース機構６６は、リリースレバー５１及びリリースブラケット６０から構成される。リリースブラケット６０は、ロックピン５２とコイルバネ５６の間に配置される。リリースブラケット６０は、ロックピン５２の後端に、取付ビス６１により固定されている。リリースブラケット６０には、コイルバネ５６と当接する面にコイルバネ５６が挿入されるバネ保持筒６０ａが一体に形成されている。コイルバネ５６の一端はリリースブラケット６０の背面に当接し、他端はバネ押え６３に当接している。この状態でコイルバネ５６は縮装されており、このコイルバネ５６により、ロックピン５２は、先端が収納筒５３から突出するように付勢される。
【００５４】
リリースレバー５１は、リリースブラケット６０をコイルバネ５６の付勢に抗して、バネ押さえ６３側に移動させることにより、リリースブラケット６０に固定されたロックピン５２をスライドさせて、係止穴５５との係合を解除するためのリリース部材である。
【００５５】
リリースレバー５１は操作部としてのリリースバー５１ａを上部に有する。リリースバー５１ａは把手５０に平行に設けられている。リリースバー５１ａを含むリリースレバー５１の上部は、枠体２０の第２開口部２０ｂから上方に突出し、把手５０とリリースバー５１ａとはほぼ同じ高さになっている。従って、親指を除く４指又は３指等により把手５０を保持した状態で、親指によりリリースバー５１ａを把手５０側に押すと、リリースレバー５１が揺動する。これにより、後に詳しく説明するように、操作パネル１１と本体ユニット１２との収納状態におけるロックをワンタッチで簡単に解除することができる。
【００５６】
図５において、ロックピン５２の先端には、取付ビス５９を介して合成樹脂製のピンキャップ５８が取り付けられている。ピンキャップ５８は、ロックピン５２の先端面に形成した取付孔５２ｃに嵌合されて、取付ビス５９によりロックピン５２に固定される。このピンキャップ５８が緩衝材になり、操作パネル１１を本体ユニット１２に取り付ける際に、ロックピン５２の先端部が本体ユニット１２に当たって変形したり損傷したりすることがなくなる。
【００５７】
ロックピン５２の先端には、下方に向かって斜めに切断されたガイド斜面５２ｂが形成されている。ピンキャップ５８にもガイド斜面５８ｂが形成されており、ピンキャップ５８が取り付けられると、ガイド斜面５８ｂによって、これらガイド斜面５２ｂは覆われる。ガイド斜面５８ｂは、回動規制面５２ａで回動が規制された状態で操作パネル１１の着脱方向（Ｚ方向）に対して斜めに形成されている。ロックピン５２はＤ型断面によって周方向の回動が規制されているため、ガイド斜面５８ｂは常に下方に向かって傾斜した状態を維持する。
【００５８】
ロックピン５２は、操作パネル１１の側面から突出するロック位置に付勢されているため、操作パネル１１を本体ユニット１２の収納部２２（図２参照）に収納する際に、収納部２２の第１開口部２０ａの周縁と当接する。ガイド斜面５８ｂは、ロックピン５２が収納部２２と当接した場合に、ロックピン５２をリリース位置に案内する。ロックピン５２は、ガイド斜面５８ｂの作用により、収納部２２と当接した場合でも、コイルバネ５６の付勢に抗して収納筒５３内に沈み込むことができる。従って、突出しているガイド斜面５８ｂが操作パネル１１の本体ユニット１２への収納時の障害になることなく、円滑に収納が可能になる。
【００５９】
図６において、パネル本体１９（図５参照）が取り外された状態の枠体２０を示す。リリースレバー５１は、取付軸５１ｂ及び取付ブラケット６５（共に図５参照）を介して枠体２０に揺動自在に取り付けられている。リリースレバー５１は、収納部２２において、リリースブラケット６０が配置される内側面２２ａに対応する位置にそれぞれ１つずつ設けられている。各リリースレバー５１は、リリースブラケット６０と当接する押圧板５１ｃを下部に有している。押圧板５１ｃは、各内側面２２ａに沿って延びており、両端部において、並べて配置される１対のリリースブラケット６０と当接する。これにより、１つの押圧板５１ｃによって２つのロックピン５２の係合を同時に解除することができる。
【００６０】
押圧板５１ｃは、下部が内側面２２ａと平行に垂直に延びており、リリースブラケット６０と当接する。押圧板５１ｃの両端部は、リリースブラケット６０の一端部の係合面６０ｂ（図４参照）に接触して、係合部として機能する。押圧板５１ｃは、上部においては、リリースブラケット６０から離れるように枠体２０の端部に向けて傾斜している。押圧板５１ｃの上方には、リリースバー５１ａが配置される。
【００６１】
リリースレバー５１は、図７に示すように、押さえ板５１がＺ方向に起立した状態でリリースブラケット６０と当接するロック位置と、図８に示すように、押さえ板５１ｃがリリースブラケット６０をバネ押さえ６３に向けて押し込む方向に傾くリリース位置との間で変位する。
【００６２】
図７において、ロック位置では、ロックピン５２はコイルバネ５６の付勢によって収納筒５３から、ガイド斜面５２ｂが形成される先端部が突出して、係止穴５５に進入した状態になっている。この状態では、ロックピン５２が係止穴５５に係止されるため、操作パネル１１を本体ユニット１２から取り外すことはできない。さらに、ロック位置では、リリースブラケット６０の係合面６０ｂと押圧板５１ｃが接触している。また、ロック位置の時には、図５に示すように、枠体本体２０ｃの内側面２０ｅにリリースレバー５１の側面５１ｄが当接するため、それ以上の揺動は規制される。
【００６３】
図８に示すように、把手５０に対してリリースバー５１ａを近づけるようにリリースレバー５１を揺動させると、リリース位置になり、押圧板５１ｃによって１対のリリースブラケット６０が押されてスライドする。このスライドによって１対のロックピン５２は、ガイド斜面５２ｂを有する先端部が収納筒５３から突出して係止穴５５に係止されるロック位置から、収納筒５３内に先端部が没するリリース位置になる。リリース位置では、本体ユニット１２の係止穴５５との係止が解除されるため、操作パネル１１を上方に持ち上げて、本体ユニット１２から取り外すことができる。
【００６４】
また、押圧板５１ｃは、リリースブラケット６０と当接しているが、リリースブラケット６０のリリース位置への移動は規制していない。そのため、並べて配置される１対のロックピン５２は、リリースレバー５１によるリリース操作の場合には連動してスライドするが、リリースレバー５１を使わずに、ガイド斜面５８ｂを有する先端部から外力を加えてリリース位置にスライドさせる場合には、１対のロックピン５２は連動せず、それぞれ独立してスライド（移動）することが可能である。
【００６５】
そのため、操作パネル１１を本体ユニット１２に取り付ける場合には、例えば、操作パネル１１が多少傾いた姿勢で本体ユニット１２に収納させる場合でも、各ロックピン５２が独立してスライドするため、操作パネル１１を円滑に収納することが可能である。
【００６６】
操作子群１７の個々の操作子１３，１５の数が増えると操作パネル１１自体の重量が増える。また、多数の操作子１３，１５を支えるためにパネル本体１９や枠体２０の厚みを増したり補強部材を加えたりして補強し、剛性が高くなるように設計されるため、重量増加に繋がる。このため、操作パネル１１は数キロ程度の重量になることもある。この重量増加に伴いロックピン５２の剛性も高くする必要があるため、ロックピン５２のサイズも大きくしている。
【００６７】
本実施形態では、大型のロックピン５２が円滑に動作するように、ロックピン５２を軸方向にスライドさせるという単純な機構としている。これにより、動作不良を低減させている。
【００６８】
しかも、各ロックピン５２は、リリースレバー５１によるリリース操作の際には、１対のロックピン５２同士が連動するが、各ロックピン５２の先端部を押圧して、個々に外力が加えられた場合には、独立してリリース位置にスライドする。操作パネル１１の取り付け時に収納部２２に対して操作パネル１１の姿勢が傾いているような場合には、収納部２２の外縁と当接する複数のロックピン５２のスライド量は変化する。
【００６９】
この場合、複数のロックピン５２が常時連動している場合には、一方のロックピン５２に加わった外力に引きずられて、他方のロックピン５２がスライドすることになるため、円滑な動作が損なわれるおそれがある。本実施形態では、このような場合でも、複数のロックピン５２が独立にスライドするため、他のロックピン５２の影響を受けずにスライドすることができる。そのため、複数のロックピン５２を常時連動させる場合と比べて、操作パネル１１を円滑に取り付けることができる。
【００７０】
また、重量が増加した操作パネル１１を本体ユニット１２の収納部に収納する際には、操作パネル１１の取付部２０ｄを本体ユニット１２の収納部２２に合わせてゆっくりと落とし込むことが好ましい。しかし、このようなゆっくりと行う収納操作をユーザに義務づけることは難しく、またゆっくりと収納することを不用意に忘れてしまうこともある。このような場合には、数キログラム又はそれ以上の重量を有する操作パネル１１のロックピン５２等が収納部２２の内側面２２ａに当たることによって損傷のおそれがある。本実施形態では、両側に設けられる把手５０を両手で持った状態で、ロックピン５２が没入可能に付勢されているため、ロックピン５２が没して退避することによって、ロックピン５２の損傷が抑えられる。
【００７１】
また、重量のある操作パネル１１を収納部２２に落とし込むというワンアクションによって、本体ユニット１２への取り付けに加えて、ロックピン５２による係止が行われるため、取り付け操作が非常に簡単である。
【００７２】
オーディオミキサ１０の使用に際しては、操作パネル１１を本体ユニット１２に取り付けた状態で使用することができる。また、図２に示すように、本体ユニット１２から操作パネル１１を取り外すことができる。操作パネル１１を取り外すと、操作パネル１１からの操作信号は無線通信によって本体ユニット１２に送信されるため、操作パネル１１を持ち運び可能なリモートコントローラとして使用することができる。このため、ミキサ操作者は、操作パネル１１を携帯してホール内の任意の場所に移動し、その場所の音響の出力状態を確認しながらミキシング調整を行うことができる。
【００７３】
また、操作パネル１１は機械式の操作子１３，１５を有しているため、ＧＵＩによる操作画面と比較して、ミキサ操作者の繊細な感覚に即応可能な良好な操作感が得られる。
【００７４】
また、操作パネル１１を本体ユニット１２から外す時には、左右の把手５０を両手で指掛けして持ち、リリースバー５１ａを親指で把手５０側に押す。これにより、リリースレバー５１を図７に示すロック状態から図８に示すリリース状態になり、本体ユニット１２の収納部２２の係止穴５５と、操作パネル１１のロックピン５２との係止が外れる。その状態で、操作パネル１１を本体ユニット１２から持ち上げれば、操作パネル１１を本体ユニット１２から取り外すことができる。操作パネル１１の取り外しをワンアクションで行うことが可能である。
【００７５】
本実施形態では、１対のロックピン５２を１つのリリースレバー５１によってスライドさせ係止穴５５との係止を解除しているため、１対のロックピン５２を同時にリリースすることができる。また、操作パネル１１を本体ユニット１２に取り付ける際には、ロックピン５２がコイルバネ５６に付勢されて収納筒５３から突出した状態になっている。しかし、ロックピン５２はコイルバネ５６によって付勢されているので、外力が加わればロックピン５２はスライドして収納筒５３内に没する。このため、単に把手５０を持って、本体ユニット１２の収納部２２に操作パネル１１の取付部２０ｄを落とし込む操作を行えば良く、リリースレバー５１を操作する必要がない。このように、操作パネル１１の取り付けもワンアクションで可能である。
【００７６】
また、このように操作パネル１１を本体ユニット１２に取り付ける際には、ロックピン５２はコイルバネ５６の付勢に抗してスライドする。そのため、重量のある操作パネル１１を収納部２２に落とし込む際に多少勢いが付いてしまっても、コイルバネ５６は、その付勢力によって、操作パネル１１と本体ユニット１２の衝突のショックを和らげる緩衝部材としても機能する。そのため、このような着脱機構２５は、重量のある操作パネル１１には有効である。
【００７７】
［第２実施形態］
図９及び図１０に示す第２実施形態は、ロックピンが、本体ユニットとの電気的な接続を行うコネクタ機能を有している例である。
【００７８】
本体ユニット１２の収納部２２に操作パネル１１の取付部２０ｄを収納する場合に、勢いよく収納部２２に取付部２０ｄが落とし込まれることもある。この場合には、ロックピン５２が収納部２２の開口縁や内側面２２ａに当たる。また、コネクタ２３ａ，２３ｂの嵌合位置がずれるなどすると、コネクタ２３ａ，２３ｂの端子面も損傷するおそれもある。これを回避するために、第２実施形態では、既存の嵌合型のコネクタ２３ａ、２３ｂを用いる代わりに、ロックピン５２を電気的な接続を行うためのコネクタとして使用する。なお、以下の実施形態において、第１実施形態と同一構成部材には同一符号を付して重複した説明を省略している。
【００７９】
図９に示すように、第２実施形態では、ロックピン７０の個数は片側３個で、両側で６個用いている。ロックピン７０の数を増やすほど、電気信号を送信する信号ラインの数を増やすことができる。ロックピン７０やその周辺部材、リリースレバー５１等は第１実施形態とほぼ同一部品を用いている。
【００８０】
図１０に示すように、ロックピン７０の外形等は第１実施形態のロックピン５２と同様に形成されている。また、取付ビス７５の挿入孔７０ａの直径は第１実施形態の直径よりも大きくなっている。この大きくなった挿入孔７０ａには、中筒７４が収納される。ピンキャップ７３及び中筒７４は絶縁性の合成樹脂から構成されている。取付ビス７５は、ピンキャップ７３及び中筒７４を貫通して取り付けられ、ロックピン７０及びリリースブラケット６０とは電気的に絶縁されている。取付ビス７５の頭部はロックピン側端子面７６を兼ねている。また、取付ビス７５の他端には、端子片７８がナット７９により固定されている。端子片７８には、コード７７が半田付けされている。取付ビス７５はロックピン側端子面７６として機能する他に、ロックピン７０とリリースブラケット６０とを連結する。バネ押え８０には、コード７７が通る貫通孔８０ａが形成されている。
【００８１】
ロックピン側端子面７６に当接する位置で、本体ユニット１２には接触ピン８２が設けられている。接触ピン８２の先端部は係止穴側端子面８３となっている。本実施形態では、ロックピン７０のコイルバネ５６を用いてロック位置の時のロックピン側端子面７６が係止穴側端子面８３に密着するように、突出方向に付勢している。
【００８２】
なお、ロックピン側端子面７６と係止穴側端子面８３との接触のための付勢は、ロックピン７０のコイルバネ５６を用いる代わりに、又はそれに加えて接触ピン８２に付勢用のコイルバネ（図示省略）を設けてもよい。
【００８３】
なお、取付ビス７５をロックピン側端子面７６とする代わりに又は加えて、ガイド斜面５２ｂの一部又は全部をロックピン側端子面としてもよい。この場合には、ガイド斜面５２ｂのロックピン側端子面に対応する位置に係止穴側端子面を形成する。
【００８４】
［第３実施形態］
電気信号の伝達は第２実施形態のように、１個のロックピン７０で１つの信号を伝達する代わりに、図１１に示すように、１個のロックピン８５で複数の信号を伝達してもよい。この場合には、ロックピン８５のロックピン側端子面８６と、接触ピン８７の係止穴側端子面８８とを必要な数、例えば４個に分割する。分割したエリア８６ａ〜８６ｄ，８８ａ〜８８ｄを用いて、４ラインの信号を伝達する。また、全てのロックピン７０を接続コネクタとして用いることなく、１個又はそれ以上の個数のロックピン７０及び接触ピン８２の端子面７６，８３を複数に分割して信号を送っても良い。
【００８５】
上記実施形態では、操作パネル１１には操作子群１７のみを配置したが、操作子群１７に加えて、液晶パネル等からなるディスプレイを操作パネル１１に設けてもよい。また、本発明のオーディオミキサ１０は、第２無線通信部４７を介して、パーソナルコンピュータ等の外部機器に接続されていてもよい。マイク等からの音響信号は、ケーブルコネクタ４９を介して入力する他に、第２無線通信部４７を用いて、無線通信にて入力してもよい。
【００８６】
バッテリ３３の充電はコネクタ２３ａ，２３ｂを介した有線接続によるものの他に、図示は省略したが、非接触電力伝送を採用してバッテリ３３を充電してもよい。非接触電力伝送としては、電磁誘導方式、磁界共鳴方式、容量結合方式（電界結合方式）、電波方式などがあり、いずれの方式を用いてもよい。電磁誘導方式は、送電側と受電側との間で発生する誘導磁束を利用して電力を送る。磁界共鳴方式は、送電コイルに高周波電力を入力し、送電コイルと受電コイルとの間の磁界共鳴現象により電力を送る。容量結合方式は、対向する１対の平板電極間の容量結合により電力を送る。電波方式は、１対のアンテナ間で電波を送受信して電力を送る。
【００８７】
上記実施形態では、ロックピン５２を収納筒５３内でスライドさせて出没自在に構成したが、ロックピンの移動形式は、スライド移動に限らず、揺動によりロックピンを出没させ、係止とリリース（係止解除）とを行ってもよい。もちろん、上記実施形態で示したように、ロックピン５２の移動方式としては、単純なスライド移動が動作不良を軽減する観点からは好ましい。
【００８８】
また、上記実施形態では、操作パネル１１側にロックピン５２を設けて、本体ユニット１２側に係止穴５５を設けた例で説明したが、操作パネル１１に係止穴５５を設けて、本体ユニット１２側にロックピン５２を設けてもよい。もちろん、上記実施形態で示したとおり、ロックピン５２を設けるには、コイルバネ、リリースブラケットなどスペースが必要である。本体ユニット１２側にロックピン５２を設けるとなると、本体ユニット１２の横幅が大きくなるなど、大型化を招くおそれがあるため、上記実施形態のように、操作パネル１１側にロックピン５２を設ける方が、大型化抑制の観点から好ましい。
【００８９】
上記各実施形態では、操作パネル１１及び本体ユニット１２を矩形の薄型箱状に形成しているが、操作パネル１１及び本体ユニット１２の外観形状は特に限定されるものではなく、各種形状の操作パネル１１としてもよい。
【００９０】
本発明は、上記実施形態に限定されるものではなく、例えば、上記各実施形態の組み合わせなど、本発明の趣旨を逸脱しない範囲で、種々の変形が可能である。
【符号の説明】
【００９１】
１０  オーディオミキサ
１１  操作パネル
１２  本体ユニット
１３，１４  回転操作子
１５  スライダ操作子
１７  操作子群
１９  パネル本体
２０  枠体
２０ｄ  取付部
２２  収納部
２５  着脱機構
５０  把手
５１  リリースレバー
５１ａ  リリースバー
５１ｃ  押圧板
５２  ロックピン
５２ｂ  ガイド斜面
５６  コイルバネ
６０  リリースブラケット
６６  リリース機構
７０  ロックピン
７６，７８  端子面
【図１】
2016225826.tif 000003
【図２】
2016225826.tif 000004
【図３】
2016225826.tif 000005
【図４】
2016225826.tif 000006
【図５】
2016225826.tif 000007
【図６】
2016225826.tif 000008
【図７】
2016225826.tif 000009
【図８】
2016225826.tif 000010
【図９】
2016225826.tif 000011
【図１０】
2016225826.tif 000012
【図１１】
2016225826.tif 000013